(57)【要約】【課題】高いユーザ利便性にて、ユーザにとって有用な機能を表示する。【解決手段】表示装置３０は、音声信号の示す音声から１または複数のキーワードを抽出するキーワード抽出部２６１と、各キーワードに対して重み付けを行う機能表示順位決定部２６３と、各キーワードに関連付けられた機能を、該キーワードの重みを参照して選択的に表示する映像処理部１７０と、を備えている。【選択図】図９
2014006306.tif 000002
【特許請求の範囲】
【請求項１】
音声信号の示す音声から１または複数のキーワードを抽出するキーワード抽出手段と、
上記キーワード抽出手段によって抽出された各キーワードに対して重み付けを行う重み付け手段と、
上記キーワード抽出手段によって抽出された各キーワードに関連付けられた機能を、該キーワードの重みを参照して選択的に表示する表示手段と、を備えていることを特徴とする表示装置。
【請求項２】
上記重み付け手段は、上記キーワード抽出手段によって抽出された１または複数のキーワードに対し、当該キーワードが抽出された順に応じて、重みをつけるものであり、
当該表示装置は、上記キーワードに関連付けられた機能ごとに、当該機能に関連付けられている１または複数のキーワードの重みを合計し、各機能に対し、当該重みの合計が大きい順に優先順位をつける順位付け手段を更に備え、
上記表示手段は、上記優先順位がより高い機能を表示することを特徴とする請求項１に記載の表示装置。
【請求項３】
上記表示手段は、上記１または複数のキーワードに関連付けられた機能が複数存在する場合、ユーザが当該複数の機能のいずれかを選択可能な画面を表示することを特徴とする請求項１または２に記載の表示装置。
【請求項４】
上記表示手段は、上記選択可能な画面に表示された機能を所定の期間表示することを特徴とする請求項３に記載の表示装置。
【請求項５】
当該表示装置を遠隔操作する遠隔操作装置であって音声集音部を有する遠隔操作装置を更に備え、
上記音声信号は、上記音声集音部より取得されたものであることを特徴とする請求項１から４の何れか１項に記載の表示装置。
【請求項６】
請求項１から５の何れか１項に記載の表示装置を備えていることを特徴とするテレビジョン受像機。
【請求項７】
音声信号の示す音声から１または複数のキーワードを抽出するキーワード抽出工程と、
上記キーワード抽出工程によって抽出された各キーワードに対して重み付けを行う重み付け工程と、
上記キーワード抽出工程によって抽出された各キーワードに関連付けられた機能を、該キーワードの重みを参照して選択的に表示する表示工程と、を含んでいることを特徴とする表示装置の制御方法。
【請求項８】
請求項１から５の何れか１項に記載の表示装置を動作させるためのプログラムであって、上記表示装置が備えるコンピュータを、上記表示装置が備える上記各手段として機能させることを特徴とするプログラム。
【請求項９】
請求項８に記載のプログラムが記録されたコンピュータ読み取り可能な記録媒体。
【請求項１０】
音声信号の示す音声から１または複数のキーワードを抽出するキーワード抽出手段と、
上記キーワード抽出手段によって抽出された１または複数のキーワードに対し、当該キーワードが抽出された順に応じて、重み付けを行う重み付け手段と、
上記キーワードに関連付けられた機能ごとに、当該機能に関連付けられている１または複数のキーワードの重みを合計し、各機能に対し、当該重みの合計が大きい順に優先順位をつける順位付け手段と、
上記キーワード抽出手段によって抽出された各キーワードに関連付けられた機能を、該キーワードの重みを参照して選択的に表示する表示手段と、を備え、
上記表示手段は、上記優先順位がより高い機能を表示するものであり、更に、上記１または複数のキーワードに関連付けられた機能が複数存在する場合、ユーザが当該複数の機能のいずれかを選択可能な画面を表示することを特徴とする表示装置。
【発明の詳細な説明】
【技術分野】
【０００１】
本発明は、音声認識が可能な表示装置に関する。
【背景技術】
【０００２】
近年のテレビジョン受像機（以下「テレビ」と略記）には、高機能化、ネットワークサービスの多様化などにより、多くの機能が内蔵されている。このようなテレビに、どのような機能が搭載されているかの全体像を把握するには、一般に、機能に関するメニュー表示が必要になる。
【０００３】
しかし、メニュー表示するためのボタンは、様々な名称および位置で、リモコンに搭載されている。例えば、同じメーカでもモデルや、販売年度により、例えば、メニューボタン、ホームボタン、機能ボタンといったボタン名称（呼称）、および、リモコンにおける上記メニューボタンの位置が異なる場合がある。このため、メニュー表示するための操作（入り口）がわかりづらいという問題があった。
【０００４】
また、ユーザに提示するための各機能を、階層構造を用いて管理しているテレビにおいては、メニュー表示はできても、階層構造が深いとカーソル送りしないと全ての機能一覧が把握できないという問題があった。また、電子取扱説明書が内蔵されているテレビにおいては、通常、当該電子取扱説明書を表示させるために複数回の操作が必要になるうえ、そもそも、どのような操作を行えば電子取扱説明書を表示させることができるのかをユーザが把握しづらいという問題があった。また、電子取扱説明書にたどり着いたとしても、当該電子取扱説明書のページ数は膨大である場合が多いため、カーソル送りしないと全体像は把握できないという問題があった。
【０００５】
このような問題に関連して、例えば、特許文献１には、画面上に複数のキャラクタを配置し、家電機器や情報機器がもつある１機能と、個々のキャラクタとを対応付けし、ユーザが発した言葉にキャラクタの名称が含まれる場合、当該キャラクタの名称に対応する機能を選択する対話型操作支援システムが開示されている。
【０００６】
また、特許文献２には、キーボードまたは音声にて入力されたキーワードを用いて、入力されたキーワードと一致するキーワードを有するメニューデータを抽出し、抽出したメニューデータの中に、入力したキーワードが複数ある場合、そのキーワードを有するメニューのメニュー文字を選択肢として画面に表示するデータ処理装置が開示されている。
【０００７】
また、特許文献３には、音声に含まれる言葉が、現在の動作モードで動作できる場合は、当該動作モードで動作し、現在の動作モードで動作できない場合は、動作できる上位概念の音声コードで動作させる音声認識機能搭載テレビ装置が開示されている。
【先行技術文献】
【特許文献】
【０００８】
【特許文献１】特開２００５−５６１７０号公報（２００５年３月３日公開）
【特許文献２】特開２００２−６２９６２号公報（２００２年２月２８日公開）
【特許文献３】特開２００３−２５０１００号公報（２００３年９月５日公開）
【発明の概要】
【発明が解決しようとする課題】
【０００９】
しかしながら、特許文献１の技術では、画面に表示されたキャラクタの名称や当該キャラクタの名称に対応する機能をユーザが覚えておく必要がある。このため、ユーザがキャラクタの名称を忘れてしまった場合、所望の機能を選択することが困難になる。また、特許文献２および３の技術では、複数の機能が存在する場合の取り扱い、及びユーザ利便性に改善の余地がある。
【００１０】
本発明は、上記問題に鑑みてなされたものであり、その目的は、高いユーザ利便性にて、ユーザにとって有用な機能を表示することができる表示装置を実現することにある。
【課題を解決するための手段】
【００１１】
上記の課題を解決するために、本発明における表示装置は、音声信号の示す音声から１または複数のキーワードを抽出するキーワード抽出手段と、上記キーワード抽出手段によって抽出された各キーワードに対して重み付けを行う重み付け手段と、上記キーワード抽出手段によって抽出された各キーワードに関連付けられた機能を、該キーワードの重みを参照して選択的に表示する表示手段と、を備えていることを特徴としている。
【００１２】
上記構成によれば、上記抽出手段は、音声信号の示す音声から予め定められた１または複数のキーワードを抽出する。そして、上記表示手段は、抽出されたキーワードに関連付けられた機能を表示する。
【００１３】
このため、上記構成によれば、ユーザにとって有用な機能を表示することができる。また、上記キーワードに関連付けられた機能であって、ユーザが知らなかった機能をもユーザに提示することができる。
【００１４】
さらに、上記の構成によれば、上記キーワード抽出手段によって抽出されたキーワードが複数存在する場合であっても、各キーワードの重みを参照して選択的にユーザに提示することができるので、提示対象となる機能が複数存在する場合であっても、高いユーザ利便性を実現することができる。
【００１５】
このように、上記の構成によれば、表示装置からユーザに対して、ユーザに有用な機能を提供することができるため、表示装置は、ユーザの使い勝手をよりよいものにすることができる。
【００１６】
なお、上記の構成において、機能を表示するとは、例えば、ある機能に関する操作画面を表示したり、ある機能によって実現される表示対象の画面を表示したりすることを含む。
【００１７】
本発明に係る上記表示装置の上記重み付け手段は、上記キーワード抽出手段によって抽出された１または複数のキーワードに対し、当該キーワードが抽出された順に応じて、重みをつけるものであり、当該表示装置は、上記キーワードに関連付けられた機能ごとに、当該機能に関連付けられている１または複数のキーワードの重みを合計し、各機能に対し、当該重みの合計が大きい順に優先順位をつける順位付け手段を更に備え、上記表示手段は、上記優先順位がより高い機能を表示することが好ましい。
【００１８】
上記構成によれば、上記重み付け手段は、当該キーワードが抽出された順に応じてキーワードに対し重みをつける。そして、上記順位付け手段は、上記キーワードに関連付けられた機能ごとに、当該機能に関連付けられている１または複数のキーワードの重みを合計し、各機能に対し、当該重みの合計が大きい順に優先順位をつける。
【００１９】
例えば、複数のキーワードのそれぞれに対し、異なる機能が関連付けられている場合、上記機能に対する重みは、上記機能に関連付けられた１つのキーワードの重みとなる。また、複数のキーワードが１つの機能に関連付けられている場合、上記機能に対する重みは、上記機能に関連付けられた複数のキーワードの重みを合計した値となる。上記順位付け手段は、このようにして、算出された各機能に対する重みの大きい順に優先順位をつける。そして、上記表示手段は、上記優先順位が高い機能を表示する。
【００２０】
このようにして、重みを決定することにより、表示装置は、より好適にユーザに有用な機能を表示することができる。
【００２１】
なお、キーワードが抽出された順に応じて重みをつけることの一例として、最も新しく抽出されたキーワードには大きい重みを付けることが挙げられる。
【００２２】
本発明に係る上記表示装置の上記表示手段は、上記１または複数のキーワードに関連付けられた機能が複数存在する場合、ユーザが当該複数の機能のいずれかを選択可能な画面を表示することが好ましい。
【００２３】
上記構成によれば、上記キーワードに関連付けられた機能をユーザに選択可能に表示することができる。したがって、ユーザは所望の機能を簡単に選択することができる。
【００２４】
本発明に係る上記表示装置の上記表示手段は、上記選択可能な画面に表示された機能を所定の期間表示することが好ましい。
【００２５】
上記構成によれば、上記表示手段は、上記選択可能な画面に表示された複数の機能のそれぞれを所定の期間表示する。つまり、所定の期間が過ぎた場合、上記選択可能な画面に当該所定の期間が過ぎた機能を表示しない。したがって、ユーザに対し、ユーザに有用な機能のみを複数提供することができる。
【００２６】
また、本発明に係る表示装置は、当該表示装置を遠隔操作する遠隔操作装置であって音声集音部を有する遠隔操作装置を更に備え、上記音声信号は、上記音声集音部より取得されたものであってもよい。
【００２７】
上記構成によれば、遠隔操作装置の音声集音部が音声を集音することにより、上記表示装置が発生する音声と当該遠隔操作装置を利用しているユーザが発声した音声とが混在することを防ぐことができる。
【００２８】
なお、上記表示装置を備えたテレビジョン受像機も本発明の範疇に含まれる。
【００２９】
上記の課題を解決するために、本発明における表示装置の制御方法は音声信号の示す音声から１または複数のキーワードを抽出するキーワード抽出工程と、上記キーワード抽出工程によって抽出された各キーワードに対して重み付けを行う重み付け工程と、上記キーワード抽出工程によって抽出された各キーワードに関連付けられた機能を、該キーワードの重みを参照して選択的に表示する表示工程と、を含んでいることを特徴としている。
【００３０】
上記の構成によれば、本発明に係る表示装置と同様の効果を奏する。
【００３１】
また、上記表示装置を動作させるためのプログラムであって、上記表示装置が備えるコンピュータを、上記表示装置が備える上記各手段として機能させることを特徴とするプログラム、および、そのようなプログラムが記録されたコンピュータ読み取り可能な記録媒体も本発明の範疇に含まれる。
【００３２】
上記課題を解決するために、本発明における表示装置は、音声信号の示す音声から１または複数のキーワードを抽出するキーワード抽出手段と、上記キーワード抽出手段によって抽出された１または複数のキーワードに対し、当該キーワードが抽出された順に応じて、重み付けを行う重み付け手段と、上記キーワードに関連付けられた機能ごとに、当該機能に関連付けられている１または複数のキーワードの重みを合計し、各機能に対し、当該重みの合計が大きい順に優先順位をつける順位付け手段と、上記キーワード抽出手段によって抽出された各キーワードに関連付けられた機能を、該キーワードの重みを参照して選択的に表示する表示手段と、を備え、上記表示手段は、上記優先順位がより高い機能を表示するものであり、更に、上記１または複数のキーワードに関連付けられた機能が複数存在する場合、ユーザが当該複数の機能のいずれかを選択可能な画面を表示することを特徴としている。
【発明の効果】
【００３３】
本発明における表示装置は、音声信号の示す音声から１または複数のキーワードを抽出するキーワード抽出手段と、上記キーワード抽出手段によって抽出された各キーワードに対して重み付けを行う重み付け手段と、上記キーワード抽出手段によって抽出された各キーワードに関連付けられた機能を、該キーワードの重みを参照して選択的に表示する表示手段と、を備えていることを特徴としている。
【００３４】
したがって、表示装置からユーザに対して、ユーザに有用な機能を提供することができるため、表示装置は、ユーザの使い勝手をよりよいものにすることができる。
【図面の簡単な説明】
【００３５】
【図１】本発明の第１の実施形態に係る表示装置の要部構成の一例を示すブロック図である。
【図２】本発明の全体構成の一例を示す図である。
【図３】各機能に関連付けられたキーワードの一例を示す概念図である。
【図４】明るさ調整機能に関連付けられたキーワードの一例を示す図である。
【図５】第１の実施形態に係る表示装置の動作の流れを示すフローチャートである。
【図６】リモコンのみを用いて明るさ調整を行う際の画面の流れを示す画面遷移図である。
【図７】第１の実施形態に係る表示装置において明るさ調整を行う際の画面の流れを示す画面遷移図である。
【図８】キーワードに関連付けられた機能の一例を示す図である。
【図９】本発明の第２の実施形態に係る表示装置の要部構成の一例を示すブロック図である。
【図１０】天気予報を表示する機能に関連付けられたキーワードの一例を示す図である。
【図１１】第２の実施形態における表示装置が、ユーザの会話の内容に従って表示する機能の一例を示す図である。
【図１２】第２の実施形態における表示装置が、ユーザの会話の内容に従って表示する機能の他の例を示す図である。
【図１３】第２の実施形態に係る表示装置の動作の流れを示すフローチャートである。
【図１４】機能表示順位決定部が行う重み付けの処理および機能表示順位決定処理の一例を示す図である。
【図１５】本発明の全体構成の他の例を示す図である。
【発明を実施するための形態】
【００３６】
＜実施形態１＞
本発明に係る第１の実施形態について、図１から図８に基づいて説明すれば、以下の通りである。
【００３７】
〔全体構成〕
まず、本実施形態の全体構成について、図２を参照して、以下に説明する。図２は、本実施形態の全体構成の一例を示すイメージ図である。図２に示すように、参照符号１０は、表示装置を示す。表示装置１０は、音声を集音する音声集音部１１０を備える。音声集音部１１０は、表示装置１０の周囲（例えば、表示装置１０を視聴しているユーザが存在するであろう領域）の音声を集音する。音声集音部１１０には、例えば、集音マイク等の集音器を用いればよいが、これに限定されるものではない。なお、音声集音部１１０は表示装置１０と一体とした構成ではなく、表示装置１０と別個の構成としてもよい。
【００３８】
また、表示装置１０がスピーカ（図示しない）から音を出力しているときに、音声集音部１１０がユーザの音声の集音を開始すると、表示装置１０は、スピーカから出力している音声を集音しないよう、スピーカから出力している音を小さくする、または、スピーカをミュートにする。これにより、より好適にユーザの音声を集音することができる。
【００３９】
図２に示すユーザは、表示装置を利用しているユーザである。なお、本実施形態では、表示装置１０を利用しているユーザを１人として説明しているが、表示装置を利用しているユーザの人数はこれに限定されるものではない。
【００４０】
〔表示装置の構成〕
次に、表示装置１０の構成について、図１を参照して説明する。本発明に係る表示装置は、画像を表示する装置であり、例えば、デジタルテレビ、ＰＣモニター、携帯電話機、ＰＤＡ（Ｐｅｒｓｏｎａｌ  Ｄｉｇｉｔａｌ  Ａｓｓｉｓｔａｎｔ）、ゲーム機、電子黒板、デジタルカメラ、ビデオカメラ等である。なお、表示装置を備えたテレビジョン受像機も本明細書に記載された発明の範疇に含まれる。
【００４１】
図１は、表示装置１０の要部構成の一例を示すブロック図である。表示装置１０は、音声集音部１１０、リモコン受光部１２０、通信制御部１３０、キーワード管理部１４０、音声認識部１５０、表示機能決定部１６０、映像処理部（表示手段）１７０、ＬＣＤ（Ｌｉｑｕｉｄ  Ｃｒｙｓｔａｌ  Ｄｉｓｐｌａｙ）コントローラ１８０およびＬＣＤ（画面）１９０を備えている。また、表示装置１０は、表示装置１０を遠隔操作するリモートコントローラ（遠隔操作装置）（以下、「リモコン」と略記）２０からのリモコン信号を受信可能に構成されている。なお、表示装置１０は、外部から映像信号を取得（受信）する通信部およびアンテナ等、並びに、映像信号を保持する記憶部、並びに、映像信号を復号する復号部およびチューナ等、並びに、操作部、音声出力部等の部材を備えていてもよいが、発明の特徴点とは関係がないため当該部材を図示していない。
【００４２】
リモコン受光部１２０は、リモコン２０からのリモコン信号を、赤外線等の光で受信して、リモコン２０からの制御信号を受け付けるためのものである。各種ボタンの選択と決定等、ユーザからの指示は、このリモコン２０を介して行なわれる。
【００４３】
通信制御部１３０は、電話回線、ＬＡＮ、インターネット等のネットワーク網を介して通信を確立させるように制御を行なう。通信制御部１３０は、ネットワーク網を介して外部から受信したキーワードをキーワード管理部１４０に供給する。
【００４４】
キーワード管理部１４０は、表示装置１０が実行可能な機能に、当該機能と関連している１以上のキーワードを関連付けて管理している。キーワード管理部１４０が管理するキーワードについては、後述する。
【００４５】
音声認識部１５０は、音声集音部１１０が集音した音声信号をテキスト情報に変換する音声認識を行う。また、音声認識部１５０は、音声認識処理を行うための音声認識処理プログラム、音声認識処理に用いる音声認識用データベースを記録するＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えて構成されている。
【００４６】
表示機能決定部１６０は、図１に示すように、キーワード抽出部（キーワード抽出手段）１６１および機能選定部１６２を備えている。キーワード抽出部１６１は、音声認識部１５０の音声認識結果からキーワードを抽出する。キーワード抽出部１６１は、抽出したキーワードを機能選定部１６２に供給する。
【００４７】
機能選定部１６２は、キーワード管理部１４０にて管理されたキーワードのうち、キーワード抽出部１６１から供給されたキーワードと一致するキーワードを検索する。そして、機能選定部１６２は、キーワード抽出部１６１から供給されたキーワードと一致するキーワードに関連付けて管理された機能を選定する。機能選定部１６２は、選定した機能を映像処理部１７０に通知する。
【００４８】
映像処理部１７０は、取得した映像信号が表す映像の画質を調整したり、取得した映像信号が表す映像をスケーリングしたりするものである。ここで、画質の調整とは、例えば、輝度、シャープネスおよびコントラストの少なくとも何れかを変化させることを指す。また、スケーリングとは、表示すべき映像本来のアスペクト比を保ったままサイズを縮小することを指す。映像処理部１７０は、処理を行った映像信号をＬＣＤコントローラ１８０に供給する。また、映像処理部１７０は、機能選定部１６２が選定した機能をＬＣＤ１９０に表示するよう映像信号を処理する。
【００４９】
ＬＣＤコントローラ１８０は、映像処理部１７０により処理された映像信号が表す映像を表示するべく、ＬＣＤ１９０を制御する。
【００５０】
（キーワードの管理）
次に、キーワード管理部１４０が管理するキーワードについて、図３および図４を参照して説明する。図３は、各機能に関連付けられたキーワードの一例を示す概念図である。また、図４は、明るさ調整機能に関連付けられたキーワードの一例を示す図である。
【００５１】
図３に示すように、キーワード管理部１４０は、機能１に５つのキーワード（キーワード１〜３、６、７）を関連付けて管理している。また、キーワード管理部１４０は、機能２に２つのキーワード（キーワード４、５）を関連付けて管理している。このように、キーワード管理部１４０は、表示装置１０が有する各機能に対し、当該機能を選定するための１以上のキーワード（選定用キーワード）を関連付けて管理している。なお、各キーワードは、予め表示装置１０に設定されたキーワードであってもよいし、ユーザがリモコン２０等を用いて登録したキーワードであってもよい。また、通信制御部１３０を介して、外部から受信したキーワードをであってもよい。他のユーザが他の表示装置１０に追加したキーワードを、ネットワークを介して受信し、選定用キーワードとして管理してもよい。
【００５２】
図４に、ＬＣＤ１９０の明るさを調整する機能（明るさ調整機能）に関連付けられたキーワードの一例を示す。図４に示すように、明るさ調整機能には、選定用キーワードとして、（１）明るい、（２）暗い、（３）調整、（４）設定、および、（５）まぶしい、が関連付けられている。なお、明るさ調整機能に関連付けられたキーワードはこれに限定されるものではない。
【００５３】
また、図３では、各機能に対し、それぞれ異なるキーワードが関連付けられているが、本発明はこれに限定されるものではない。つまり、１つのキーワードが複数の機能に関連付けられていてもよい。
【００５４】
（表示装置１０の動作）
次に、表示装置１０の動作について、図５から図７を参照して説明する。まず、以下では比較例として、従来のようにリモコン２０のみを用いて、明るさ調整を行う際の画面の流れについて説明する。その後、本実施形態に係る表示装置１０の動作の流れ、および、明るさ調整を行う際の画面の流れについて説明する。なお、本実施形態においては、メニュー画面を表示するためのボタンは、調整メニューボタンであるとして説明を行うが、本発明はこれに限定されるものではない。
【００５５】
図６は、リモコン２０のみを用いて明るさ調整を行う際の画面の流れを示す画面遷移図である。なお、図６の画面遷移図に示す画面は一例である。図６に示すように、ユーザによって、調整メニューボタンが押下されると、表示装置１０には、「映像」、「音声」、「設定」等の調整メニューが表示される（画面６−ａ）。その後、ユーザがリモコン２０を用いて「映像」を選択し、決定ボタンを押下すると、表示装置１０には、「明るさ」、「色合い」、「コントラスト」等、映像の画質の調整メニューが表示される（画面６−ｂ）。
【００５６】
そして、ユーザがリモコン２０を用いて「明るさ」を選択し、決定ボタンを押下すると、表示装置１０には、明るさを調整する画面が表示される（画面６−ｃ）。その後、ユーザが、画面の明るさを、例えば「５」に設定する場合、リモコンのカーソルボタンで、５を選択し、決定ボタンを押下することで、表示装置１０の画面の明るさが「５」に設定される（画面６−ｄ）。
【００５７】
このように、従来のようにリモコン２０のみを用いて、明るさの調整を行う際、「映像」、「明るさ」の順に選択しないと、所望の画面に遷移することができない。つまり、明るさの調整を行うときに「映像」を選択することを知らない場合、明るさを調整する画面に遷移することができない。
【００５８】
次に、本実施形態に係る表示装置１０の動作の流れと画面の流れについて説明する。図５は、本実施形態に係る表示装置１０の動作の流れを示すフローチャートである。また、図７は、本実施形態に係る表示装置１０において明るさ調整を行う際の画面の流れを示す画面遷移図である。
【００５９】
まず、ユーザが音声を発声すると、音声集音部１１０は、ユーザの声を集音する（ステップＳ５１。以下、単にＳ５１とする）。このとき、ユーザの声の集音を始めるタイミングは、ユーザが調整メニューボタンを押した後であってもよいし、ユーザが表示装置１０の電源を入れたときであってもよい。本実施形態においては、音声集音部１１０がユーザの声の集音を開始するのは、ユーザが調整メニューボタンを押した後であるとする。これにより、音声の誤認識により、誤って、表示装置１０が機能を表示するという動作を行うことを防ぐことができる。
【００６０】
そして、音声認識部１５０は、音声集音部１１０が集音した音声信号をテキスト情報に変換する音声認識を行う（Ｓ５２）。そして、表示機能決定部１６０のキーワード抽出部１６１は、上記テキスト情報からキーワードを抽出する（Ｓ５３、キーワード抽出工程）。例えば、ユーザが「明るさの調整がしたい」と発声したとき、キーワード抽出部１６１は、「調整」、「明るさ」といったキーワードを抽出する。
【００６１】
その後、機能選定部１６２は、キーワード管理部１４０を参照し、キーワード抽出部１６１が抽出したキーワードに関連付けられた機能を選定する（Ｓ５４）。ここで、「調整」および「明るさ」に関連付けられて管理された機能が、画面の明るさを調整する機能（明るさ調整機能）、画面のコントラストを調整する機能（コントラスト調整機能）および画面の省電力モードを調整する機能（省電力機能）であるとする。このとき、機能選定部１６２は、明るさ調整機能、コントラスト調整機能および省電力機能を選定する。
【００６２】
そして、映像処理部１７０は、機能選定部１６２が選定した機能をＬＣＤ１９０に表示させる（Ｓ５５、表示工程）。図７に示すように、表示装置１０には、明るさ調整機能を示す「明るさ」と、コントラスト調整機能を示す「コントラスト」と、省電力機能を示す「省電力」の３つの機能を選択可能な画面（機能一覧画面）が表示される（画面７−ａ）。これにより、キーワード「明るさ」に関連付けられた機能であって、ユーザが知らなかった機能をユーザに選択可能に表示することができる。
【００６３】
その後、再度ユーザが「明るさ」と発声することにより、上述した画面６−ｃと同様の画面に遷移する。その後、ユーザが、画面の明るさを、例えば「５」に設定する場合、ユーザが「５」と発声する、または、リモコンのカーソルボタンで、５を選択し、決定ボタンを押下することで、表示装置１０の画面の明るさが「５」に設定される（画面７−ｂ）。
【００６４】
なお、「明るさ」が関連付けられた機能が、明るさ調整機能のみの場合、表示装置１０は、上記機能を選択する画面を表示せず、直接明るさを調整する画面（画面６−ｃ）を表示するように構成されていてもよい。
【００６５】
また、表示装置１０は、図７−ｂに示すように、実際にユーザが「映像」、「明るさ」と選択していなくとも、リモコン２０のみを用いて、当該画面を表示させる場合の画面のパス（本例においては、映像⇒明るさ）を表示してもよい。また、表示装置１０は、ユーザが明るさを「５」に設定した場合、上記「映像⇒明るさ」の後に、リモコン２０で操作した際の手順（例えば、「リモコンの５のボタンを押す」）を表示してもよい。このように、画面のパスや手順を表示することにより、表示した画面がどのような分類（階層）に割り当てられているのかが分かり、次回以降、ユーザがリモコン２０を用いて調整しやすくなる。
【００６６】
なお、本実施形態では、抽出したキーワードの全て（上記例では、「調整」および「明るさ」の両方）が関連付けられた機能を表示する例について説明を行ったが、本発明はこれに限定されるものではない。例えば、抽出したキーワードの一部（上記例では、「調整」または「明るさ」）が関連付けられた機能を表示してもよい。例えば、抽出したキーワードが「調整」および「設定」であり、キーワード「調整」に関連付けられた機能が、「明るさ調整」、「明るさセンサー調整」および「音量調整」であり、キーワード「設定」に関連付けられた機能が、「簡単初期設定」、「地域設定」、「チャンネル設定」、「アンテナ設定」および「ＢＤ設定」であるとする。このとき、表示装置１０はこれらの機能全てを表示装置１０に表示してもよい。
【００６７】
また、抽出したキーワードのうち、抽出された回数が多いキーワードに関連付けられた機能を優先的に表示してもよい。また、抽出したキーワードのうち、最新のキーワード（ユーザが最後に話したキーワード）に関連付けられた機能を優先的に表示してもよい。
【００６８】
また、「全部メニュー」など、ユーザが全ての機能を表示する旨の音声を発生した場合、表示装置１０は、表示装置１０に備えられた全ての機能のメニュー画面を表示する構成であってもよい。
【００６９】
（キーワードに関連付けられた機能の一例）
次に、キーワードに関連付けられた機能の一例について、図８を参照して説明する。図８は、キーワードに関連付けられた機能の一例を示す図である。図８に示すように、ユーザが発声した音声の中に、例えば、「設定」が含まれていた場合、機能選定部１６２は、「視聴準備」、「映像調整」、「安心・省エネ」、「機能切替」および「お知らせ」を選定する。そして、映像処理部１７０はＬＣＤ１９０にこれらの機能を選択することができる画面（メニュー機能一覧）を表示させる。
【００７０】
ここで、「安心・省エネ」機能とは、緊急警報速報や、緊急地震速報信号などを受信すると、音量を例えば２倍／３倍に大きくしてユーザに報知する機能、通常の電力で当該表示装置１０を動作させるモードを示す「電力通常モード」と電力を節約したモードで表示装置１０を動作させるモードを示す「電力節約モード」とをユーザが選択可能な機能、等を示す。
【００７１】
同様に、ユーザが発声した音声の中に、例えば、「ネットワーク」が含まれていた場合、映像処理部１７０は、ＬＣＤ１９０に「ＡＱＵＯＳファミリンク（登録商標）」、「アクトビラ（登録商標）」、「ひかりＴＶ（登録商標）」および「ＤＬＮＡ（登録商標）ホームネットワーク」のメニュー機能一覧を表示させる。
【００７２】
また、ユーザが発声した音声の中に、例えば、「映像」が含まれていた場合、映像処理部１７０は、ＬＣＤ１９０に「ＡＶポジション」、「お好み画質」および「明るさセンサー」のメニュー機能一覧を表示させる。
【００７３】
また、ユーザが発声した音声の中に、例えば、「音声」が含まれていた場合、映像処理部１７０は、ＬＣＤ１９０に「音量調整」、「オートボリューム」、「高音」、「低音」、「音質調整」および「バランス」のメニュー機能一覧を表示させる。
【００７４】
また、ユーザが発声した音声の中に、例えば、「３Ｄ（スリーディー）」が含まれていた場合、映像処理部１７０は、ＬＣＤ１９０に「３Ｄ映像を３Ｄモードで楽しむ」ことが可能な機能、「手動で３Ｄ映像に切り替える」ことが可能な機能、「３Ｄ映像を２Ｄ映像に変換して見る」ことが可能な機能、および、「２Ｄ映像を３Ｄ映像に変換して見る」ことが可能な機能のメニュー機能一覧を表示させる。
【００７５】
なお、図８に示したキーワードおよび機能は一例であり、本発明はこれに限定されるものではない。
【００７６】
このように、本実施形態に係る表示装置１０のキーワード抽出部１６１は、音声信号の示す音声から予め定められた１または複数のキーワードを抽出する。そして、映像処理部１７０は、抽出されたキーワードに関連付けられた機能を表示する。
【００７７】
これにより、少ない手順で、ユーザが所望の機能を表示することができる。また、画面７−ａのように、「明るさ」に関連付けられた機能を表示することにより、明るさの調整だけでなく、明るさに関連付けられた機能であって、ユーザが知らなかった機能をユーザに提示することができる。
【００７８】
したがって、ユーザからの一方的な指示に対して表示装置が動作するのではなく、表示装置１０からユーザに対して、ユーザに有用な機能を提供することができるため、表示装置１０は、ユーザの使い勝手をよりよいものにすることができる。
【００７９】
また、音声信号の示す音声に含まれるキーワードに関連した機能を表示し、音声信号の示す音声の内容を理解するという処理を行わない。そのため、上記表示装置１０が行う処理を少なくすることができる。
【００８０】
＜実施形態２＞
本発明に係る第２の実施形態について、図９から図１４に基づいて説明すれば、以下の通りである。実施形態１では、ユーザが発声した音声の中に含まれるキーワードが表示装置１０の設定の変更等に関する機能に関連付けられており、表示装置１０は、上記キーワードを認識した際、上記キーワードに関連付けられた機能を表示する例について説明を行ったが、本発明はこれに限定されない。例えば、ユーザが発声した音声の中に、外部から取得可能な情報に関するキーワードが含まれていた場合、表示装置は、当該キーワードに関連付けられた機能（外部から取得可能な情報を表示する機能）を表示してもよい。本実施形態においては、このような機能を有する表示装置３０について説明を行う。
【００８１】
〔表示装置の構成〕
まず、本実施形態に係る表示装置３０の構成について、図９を参照して説明する。なお、説明の便宜上、前記実施の形態１にて説明した図１と同じ機能を有する部材については、同じ符号を付記し、その説明を省略する。
【００８２】
図９は、表示装置３０の要部構成の一例を示すブロック図である。表示装置３０は、音声集音部１１０、リモコン受光部１２０、通信制御部１３０、キーワード管理部１４０、音声認識部１５０、表示機能決定部２６０、映像処理部（表示手段）１７０、ＬＣＤコントローラ１８０およびＬＣＤ１９０を備えている。また、表示装置３０は、リモコン２０からのリモコン信号を受信可能に構成されている。なお、表示装置３０は、表示装置１０と同様に、外部から映像信号を取得（受信）する通信部およびアンテナ等、並びに、映像信号を保持する記憶部、並びに、映像信号を復号する復号部およびチューナ等、並びに、操作部、音声出力部等の部材を備えていてもよいが、発明の特徴点とは関係がないため当該部材を図示していない。
【００８３】
表示機能決定部２６０は、図９に示すように、キーワード抽出部（キーワード抽出手段）２６１、機能選定部２６２および機能表示順位決定部（重み付け手段、順位付け手段）２６３を備えている。キーワード抽出部２６１は、音声認識部１５０の音声認識結果からキーワードを抽出する。キーワード抽出部２６１は、抽出したキーワードを機能表示順位決定部２６３に供給する。
【００８４】
機能表示順位決定部２６３は、キーワード抽出部２６１が抽出した複数のキーワードに重みをつける処理を行う。そして、機能表示順位決定部２６３は、キーワード管理部１４０を参照し、重み付けを行ったキーワードから、ＬＣＤ１９０に表示する機能の表示順位を決定する。なお、機能表示順位決定部２６３が行う重み付けの処理および機能表示順位決定の処理については、後述する。
【００８５】
機能選定部２６２は、機能表示順位決定部２６３が順位を決定した機能のうち、順位の高い機能を選定する。そして、機能選定部２６２は、選定した機能を映像処理部１７０に通知する。
【００８６】
（キーワードの管理）
次に、キーワード管理部１４０が管理するキーワードについて、図１０を参照して説明する。図１０は、天気予報を表示する機能に関連付けられたキーワードの一例を示す図である。
【００８７】
図１０に示すように、表示装置３０のキーワード管理部１４０は、実施形態１と同様に、ある機能に、１以上のキーワード（選定用キーワード）を関連付けて管理している。なお、各キーワードは、予め表示装置３０に設定されたキーワードであってもよいし、ユーザがリモコン２０等を用いて登録したキーワードであってもよい。また、通信制御部１３０を介して、外部から受信したキーワードをであってもよい。他のユーザが他の表示装置３０に追加したキーワードを、ネットワークを介して受信し、選定用キーワードとして管理してもよい。
【００８８】
具体的には、図１０に示すように、天気予報を表示する機能には、選定用キーワードとして、（１）天気、（２）明日、（３）晴れ、（４）雨、（５）曇り、および、（６）雷、が関連付けられている。なお、天気予報を表示する機能に関連付けられたキーワードはこれに限定されるものではない。
【００８９】
また、各機能に対し、それぞれ異なるキーワードが関連付けられてもよいし、１つのキーワードが複数の機能に関連付けられていてもよい。
【００９０】
（表示装置３０の動作）
次に表示装置３０の動作について、図１１から図１３を参照して説明する。図１１は、本実施形態における表示装置３０が、ユーザの会話の内容に従って表示する機能の一例を示す図であり、図１２は、本実施形態における表示装置３０が、ユーザの会話の内容に従って表示する機能の他の例を示す図である。
【００９１】
図１１に示すように、ユーザの会話の内容が、「天気」、「晴れ」などのキーワードを含む話（天気の話）であったとき、機能選定部２６２は、天気の話に含まれるキーワードに関連付けられた機能であって、天気予報を表示する機能を選定する。そして、映像処理部１７０は、ＬＣＤ１９０に選定された機能を表示する。つまり、映像処理部１７０は、ＬＣＤ１９０に天気予報の画面を表示する。
【００９２】
次に、ユーザの会話が、映画の話になったとき、機能選定部２６２は、映画の話に含まれるキーワードに関連付けられた機能であって、映画の画面を表示する機能を選定する。そして、映像処理部１７０は、ＬＣＤ１９０に映画の画面を表示する。このとき、表示装置３０の画面に複数の機能を表示することができる場合、映像処理部１７０は、ＬＣＤ１９０に天気予報の画面と共に、映画の画面を表示する。
【００９３】
なお、本実施形態においては、表示装置３０が画面に４つの機能を表示することを例に説明を行うが、本発明はこれに限定されない。
【００９４】
その後、ユーザの会話が、インターネットの話になったとき、機能選定部２６２は、インターネットの話に含まれるキーワードに関連付けられた機能であって、インターネットの画面を表示する機能を選定する。そして、映像処理部１７０は、ＬＣＤ１９０にインターネットの画面を表示する。このとき、映像処理部１７０は、ＬＣＤ１９０に天気予報の画面、映画の画面と共にインターネットの画面を表示する。
【００９５】
その後、ユーザの会話が、テレビ番組の予約の話になったとき、機能選定部２６２は、テレビ番組の予約の話に含まれるキーワードに関連付けられた機能であって、テレビ番組を予約の画面を表示する機能を選定する。そして、映像処理部１７０は、ＬＣＤ１９０にテレビ番組の予約の画面（番組表）を表示する。このとき、映像処理部１７０は、ＬＣＤ１９０に天気予報の画面、映画の画面、インターネットの画面と共にテレビ番組の予約の画面を表示する。
【００９６】
図１１に示すように、表示装置３０の画面に４つの機能を表示することができる場合、上述のようにユーザの会話がなされると、映像処理部１７０は、表示装置３０のＬＣＤ１９０に、天気予報の画面（画面ａ）、映画の画面（画面ｂ）、インターネットの画面（画面ｃ）、および、テレビ番組の予約の画面（番組表）（画面ｄ）を表示する。
【００９７】
その後、ユーザの会話が表示装置３０の画質の話になったとき、機能選定部２６２は、表示装置３０の画質の話に含まれるキーワードに関連付けられた機能であって、表示装置３０の画質の調整を行う画面を表示する機能を選定する。そして、映像処理部１７０は、ＬＣＤ１９０に画質の調整を行う画面を表示する。このとき、表示装置３０の画面には、既に４つの機能が表示されているため、映像処理部１７０は、図１２に示すように、ＬＣＤ１９０に最初に表示した機能（最も古い会話に含まれるキーワードに関連付けられた機能）を表示せず、最新の会話に含まれるキーワードに関連付けられた機能を表示する。つまり、天気予報の画面を表示せず、映画の画面（画面ｂ）、インターネットの画面（画面ｃ）、テレビ番組の予約の画面（番組表）（画面ｄ）、および、画質の調整を行う画面（画面ｅ）を表示する。
【００９８】
なお、画質の調整を行う画面とは、例えば、明るさ、色合い、コントラスト等の画質の調整を行うメニュー画面（例えば、図６の画面６−ｂ）であってもよいし、明るさ、色合い、コントラストのいずれかを調整する画面（例えば、図６の画面６−ｃ）であってもよい。なお、本実施形態においては、画面ｅは、画質の調整を行うメニュー画面であるとする。
【００９９】
また、図１２に示すように、最も新しく表示された機能の画面を左上に表示し、最も長い時間表示された機能を右下に表示してもよい。なお、各画面の表示位置はこれに限定されず、表示装置３０は、選定された機能をどの位置に表示してもよい。
【０１００】
このように、表示装置３０は、ユーザの会話からユーザに対し有用な機能を表示する。そして、表示装置３０に表示された４つの機能から、ユーザは、所望の機能を選択し、利用することができる。したがって、ユーザは、複雑な操作を行うことなく、所望の機能を利用することができる。
【０１０１】
また、表示装置３０は、ユーザの会話に含まれるキーワードに関連付けられた機能を所定の期間（例えば、数分間の期間や、ある機能が表示された後に選定された機能が３つ以内である期間等）表示する。これにより、過去の会話に含まれるキーワードに関連した機能と現在の会話に含まれるキーワードに関連した機能とを同時に表示することができるため、ユーザが所望する機能をより好適に提供することができる。
【０１０２】
なお、天気予報の画面、映画の画面、インターネットの画面、番組表等は、通信制御部１３０を介して、外部から取得した情報を表示する画面であるとするが、例えば、図示しないチューナ等が受信した画面であってもよい。
【０１０３】
なお、本実施形態においては、画面ｅのように、外部から取得した情報を表示した画面ではなく、実施形態１に記載のように、表示装置３０の設定の変更等に関する機能を表示してもよい。
【０１０４】
また、図１１および図１２示す画面は、ユーザがリモコン２０等を用いて、メニュー画面を表示させる指示（調整メニューボタンを押下）を表示装置３０に対して行ったときに表示される画面であるとするが、本発明はこれに限定されず、例えば、ユーザが音声の集音を開始する指示を表示装置３０に対して行ったときであってもよい。
【０１０５】
次に、表示装置３０の具体的な処理の流れについて、図１３を参照して説明する。図１３は、本実施形態に係る表示装置３０の動作の流れを示すフローチャートである。
【０１０６】
まず、ユーザが音声を発声すると、音声集音部１１０は、ユーザの声を集音する（Ｓ１３１）。このとき、ユーザの声の集音を始めるタイミングは、ユーザが調整メニューボタンを押した後であってもよいし、ユーザが表示装置１０の電源を入れたときであってもよい。
【０１０７】
そして、音声認識部１５０は、音声集音部１１０が集音した音声信号をテキスト情報に変換する音声認識を行う（Ｓ１３２）。その後、表示装置３０は、音声認識部１５０が音声認識した結果を所定の期間、図示しない記憶部に記憶させる。
【０１０８】
そして、表示機能決定部２６０のキーワード抽出部２６１は、上記テキスト情報からキーワードを抽出する（Ｓ１３３、キーワード抽出工程）。例えば、二人のユーザがそれぞれ、「明日の天気はどうかな？」、「晴れるといいね」と発声したとき、キーワード抽出部２６１は、「明日」、「天気」、「晴れ」といったキーワードを抽出する。このとき、キーワード抽出部２６１は、所定の期間の会話に含まれるキーワードを抽出する。
【０１０９】
その後、機能表示順位決定部２６３は、抽出した複数のキーワードに重みをつける（Ｓ１３４、重み付け工程）。そして、機能表示順位決定部２６３は、キーワード管理部１４０を参照し、重み付けを行ったキーワードから、ＬＣＤ１９０に表示する機能の表示順位を決定する（Ｓ１３５）。なお、機能表示順位決定部２６３が行う重み付けの処理および機能表示順位決定の処理については、後述する。
【０１１０】
その後、機能選定部２６２は、機能表示順位決定部２６３が順位を決定した機能のうち、順位の高い機能を選定する（Ｓ１３６）。そして、映像処理部１７０は、機能選定部２６２が選定した機能をＬＣＤ１９０に表示させる（Ｓ１３７、表示工程）。
【０１１１】
（機能表示順位決定部２６３の処理）
次に、機能表示順位決定部２６３が行う重み付けの処理および機能表示順位決定処理について、図１４を参照して説明を行う。図１４は、機能表示順位決定部２６３が行う重み付けの処理および機能表示順位決定処理の一例を示す図である。
【０１１２】
なお、図１４では、キーワード抽出部２６１が抽出したキーワードであって、所定の期間の会話に含まれるキーワードをＡ〜Ｆとする。また、図１４において、キーワード抽出部２６１が抽出したキーワードは、Ａ、Ｂ、Ｃ、Ａ、Ｄ、Ｅ、Ｆ、Ｂの順に会話に含まれているとする。
【０１１３】
まず、機能表示順位決定部２６３は、各キーワードの重みの初期値を０とする。また、重みは、０以上の数であるとする。そして、ユーザの会話に最初に含まれるキーワードがＡであるため、キーワードＡの重みを、５増やす。このとき各キーワードの左側に記載の括弧に囲まれた数字は、キーワードの重みの大きい順を示している。
【０１１４】
次に、ユーザの会話に含まれるキーワードは、Ｂであるため、キーワードＢの重みを、５増やす。そして、そのほかのキーワードの重みを、１．１減らす。重みは、０以上の数であるため、キーワードＡ以外のキーワードの重みは、０のままとなる。
【０１１５】
このようにして、所定の期間の会話に含まれるキーワードの全てに重みをつけることにより、図１４に示すように、キーワードＡ〜Ｆの重みはそれぞれ、Ａ＝２．３、Ｂ＝５、Ｃ＝０、Ｄ＝１．７、Ｅ＝２．８、Ｆ＝３．９となる。
【０１１６】
キーワードＡ〜Ｆのそれぞれが異なる機能に関連付けられているとき、機能表示順位決定処理部２６３は、重みが大きい順に機能表示順位（優先順位）を決定する。このとき、機能表示順位決定処理部２６３は、重みが０より大きい機能で優先順位をつける。つまり、図１４においては、最も重みが大きいキーワードＢに関連付けられた機能が、表示順位が最も高い（最も優先順位が高い）機能となる。
【０１１７】
なお、同じ重みの機能があった場合は、一つ前のキーワードで重み付けを行った際における重みの大きい順（図１４においては、会話に含まれるキーワードがキーワードＦのときの重みの大きい順）の順位が高いほうを優先順位が高い機能であるとする。
【０１１８】
機能表示順位決定処理部２６３は、表示順位を決定した機能を、機能選定部２６２に通知する。その後、Ｓ１３６にて、機能選定部２６２は、機能表示順位決定部２６３が順位を決定した機能のうち、順位の高い機能を選定する。このとき機能選定部２６２が選定する機能は、最も順位の高い機能のみであってもよいし、所定の順位（例えば、２位）までの機能を選定してもよい。このように、キーワードに重みをつけることにより、ユーザの会話がどのような内容かを判別することができる。
【０１１９】
このように、表示装置３０のキーワード抽出部２６１は、音声信号の示す音声から１または複数のキーワードを抽出する。そして、機能表示順位決定部２６３は、抽出された各キーワードに対して重み付けを行う。その後、映像処理部１７０は、キーワード抽出部２６１によって抽出された各キーワードに関連付けられた機能を、該キーワードの重みを参照して選択的に表示する。
【０１２０】
上記の構成によれば、キーワード抽出部２６１によって抽出されたキーワードが複数存在する場合であっても、各キーワードの重みを参照して選択的にユーザに提示することができるので、提示対象となる機能が複数存在する場合であっても、高いユーザ利便性を実現することができる。
【０１２１】
また、キーワードＡ〜Ｃが全て同じ機能（機能Ｚとする）に関連付けられており、キーワードＤ〜Ｆが全て同じ機能（機能Ｙとする）に関連付けられており、機能Ｚと機能Ｙとは異なる機能であるとする。このとき、機能表示順位決定処理部２６３は、各機能に関連付けられたキーワードの重みの合計を、当該機能の重みとする。つまり、機能Ｚの重みは、キーワードＡ〜Ｃの重みを足し合わせ、２．３＋５＋０＝７．３となる。また、機能Ｙの重みは、キーワードＤ〜Ｆの重みを足し合わせ、１．７＋２．８＋３．９＝８．４となる。
【０１２２】
そして、機能表示順位決定処理部２６３は、重みが大きい順に機能表示順位を決定する。つまり、機能Ｙが、重みが一番大きい機能であると決定し、機能Ｚが、２番目に重みが大きい機能であると決定する。
【０１２３】
このようにして、重みを決定することにより、表示装置３０は、複数のキーワードに関連付けられた機能がある場合であっても、好適にユーザの会話に適した機能を選定することができる。
【０１２４】
また、１つのキーワードに複数の機能が関連付けられている場合、例えば、当該表示装置３０の操作履歴を参照することによって、機能表示順位決定処理部２６３は、使用頻度の多い機能により大きい重みを付与してもよい。これにより、機能表示順位決定処理部２６３は、重みが大きい順に機能表示順位を決定することができる。
【０１２５】
なお、本実施形態において、各キーワードに足し合わせる重みの値を５とし、その他のキーワードから減らす重みの値を１．１としたが、本発明はこれに限定されず、各キーワードに足し合わせる重みおよび減らす重みは任意の値であってもよい。
【０１２６】
＜実施形態３＞
本発明に係る第３の実施形態について、図１５に基づいて説明すれば、以下の通りである。実施形態１および２では、表示装置に備えられた音声集音部１１０によって、ユーザの音声を取得していた。本実施形態では、リモコン２０に音声集音部を備えた構成について説明を行う。
【０１２７】
図１５は、本実施形態の全体構成の一例を示すイメージ図である。図１５に示すように、リモコン２０は、音声集音部２１０を備えている。リモコン２０の音声集音部２１０は、表示装置３０の音声集音部１１０と同様の機能を有している。
【０１２８】
リモコン２０の音声集音部２１０は、ユーザが発声した音声を集音する。その後、表示装置３０の音声認識部１５０は、音声集音部２１０が集音した音声を、リモコン受光部１２０を介して、受信することにより、音声認識を行う。
【０１２９】
図１５に示すように、表示装置３０に備えられたスピーカが、音声集音部１１０とユーザとの距離より、音声集音部１１０の近くにある場合が多い。したがって、リモコン２０の音声集音部２１０が音声を集音することにより、表示装置３０のスピーカからの音声とユーザが発声した音声とが混在することを防ぐことができる。
【０１３０】
また、音声集音部２１０がユーザの音声の集音を開始すると、表示装置３０は、スピーカから出力している音声を集音しないよう、スピーカから出力している音を小さくする、または、スピーカをミュートにする。これにより、より好適にユーザの音声を集音することができる。
【０１３１】
（その他）
なお、上述の実施形態１〜３では、リモートコントローラ２０を用いて、表示装置１０または表示装置３０を制御する構成について説明を行ったが、本発明はこれに限定されない。すなわち、スマートフォン、タブレット型ＰＣ、電子ブックリーダなど、タッチパネルを有する情報端末であれば、どのような情報端末であっても、表示装置１０または表示装置３０のリモコンとして利用することができる。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３３】
〔ソフトウェアによる実現例について〕
最後に、表示装置１０および表示装置３０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１３４】
後者の場合、表示装置１０および表示装置３０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１０および表示装置３０の制御プログラムのプログラムコード（実行形式プログラム、中間コードプログラム、ソースプログラム）をコンピュータで読み取り可能に記録した記録媒体を、表示装置１０および表示装置３０に供給し、そのコンピュータ（またはＣＰＵやＭＰＵ）が記録媒体に記録されているプログラムコードを読み出し実行することによっても、達成可能である。
【０１３５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１３６】
また、表示装置１０および表示装置３０を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３７】
本発明に係る表示装置は、テレビ等の表示装置一般に利用することができる。
【符号の説明】
【０１３８】
１０  表示装置
１１０  音声集音部
１２０  リモコン受光部
１３０  通信制御部
１４０  キーワード管理部
１５０  音声認識部
１６０  表示機能決定部
１６１  キーワード抽出部（キーワード抽出手段）
１６２  機能選定部
１７０  映像処理部（表示手段）
１８０  ＬＣＤコントローラ
１９０  ＬＣＤ
２０  リモートコントローラ（遠隔操作装置）
２１０  音声集音部
３０  表示装置
２６０  表示機能決定部
２６１  キーワード抽出部（キーワード抽出手段）
２６２  機能選定部
２６３  機能表示順位決定部（重み付け手段、順位付け手段）
【図１】
2014006306.tif 000003
【図２】
2014006306.tif 000004
【図３】
2014006306.tif 000005
【図４】
2014006306.tif 000006
【図５】
2014006306.tif 000007
【図６】
2014006306.tif 000008
【図７】
2014006306.tif 000009
【図８】
2014006306.tif 000010
【図９】
2014006306.tif 000011
【図１０】
2014006306.tif 000012
【図１１】
2014006306.tif 000013
【図１２】
2014006306.tif 000014
【図１３】
2014006306.tif 000015
【図１４】
2014006306.tif 000016
【図１５】
2014006306.tif 000017